(57)【要約】【課題】  文字間の間隔を空けて見やすい電光表示装置を提供する。【解決手段】  ＬＥＤ使って文字メッセージを表示できる電光表示装置と、文字データを編集して電光表示装置に送信する機能を持つパソコンなどの文字データ編集送信機からなり、漢字、かな、数字、アルファベット等からなる文字メッセージの文字コードデータと対応する文字フォントと文字間の間隔を指示するデータを内部に蓄積する機能を持ち、表示する際に文字間の間隔を空けることを特徴とする電光表示装置。【選択図】  図１
2010097166.tif 000002
【特許請求の範囲】
【請求項１】
ＬＥＤを使って文字メッセージを表示できるＬＥＤ表示装置と、文字データを編集して電光表示装置に送信する機能を持つパソコンなどの文字データ編集送信機からなり、文字データ編集送信機で表示文字間の間隔を一つ設定し、ＬＥＤ表示装置では、送信された文字コードデータと文字間隔データと文字コードに対応する文字フォントを内部に蓄積する機能を持ち、表示する際に全ての文字間を等間隔に空けることを特徴とする電光表示装置。
【請求項２】
ＬＥＤを使って文字メッセージを表示できるＬＥＤ表示装置と、文字データを編集して電光表示装置に送信する機能を持つパソコンなどの文字データ編集送信機からなり、文字データ編集送信機で表示文字毎に表示文字間の間隔を示す「表示文字数−１」個のデータを設定し、ＬＥＤ表示装置では送信された文字コードデータと文字間隔データと文字コードに対応する文字フォントを内部に蓄積する機能を持ち、表示する際に文字間毎に異なる文字間隔を空けられることを特徴とする電光表示装置。
【請求項３】
ＬＥＤを使って文字メッセージを表示できるＬＥＤ表示装置と、文字データを編集して電光表示装置に送信する機能を持つパソコンなどの文字データ編集送信機からなり、文字データ編集送信機で表示文字間の間隔を示すデータを漢字、かな、数字、アルファベット等の文字種毎に表示文字間の間隔を示すｍ個のデータを設定し、ＬＥＤ表示装置では送信された文字コードデータと文字間隔データと文字コードに対応する文字フォントを内部に蓄積する機能を持ち、表示する際に文字種毎に異なる文字間隔を空けられることを特徴とする電光表示装置。
【請求項４】
ＬＥＤを使って文字メッセージを表示できるＬＥＤ表示装置と、文字データを編集して電光表示装置に送信する機能を持つパソコンなどの文字データ編集送信機からなり、文字データ編集送信機で表示文字間の間隔を示すデータを連続した１文字以上の文字グループ毎に設定し、ＬＥＤ表示装置では送信された文字コードデータと文字間隔データと文字コードに対応する文字フォントを内部に蓄積する機能を持ち、表示する際に文字グループ毎に異なる文字間隔を空けられることを特徴とする電光表示装置。
【発明の詳細な説明】
【技術分野】
【０００１】
本考案は、ＬＥＤを使って文字メッセージの文字間を空けて見やすく表示する電光表示器または電光表示装置に関するものである。
【背景技術】
【０００２】
ＬＥＤいわゆる「電光」による文字表示は、看板のような固定文字ではなく、文字やメッセージを自由に変更できるので、現在様々な分野で使用されている。
【０００３】
案内表示や広告・宣伝などの効果は、文字の大きさと、一度に表示できる文字数（情報密度）の多さに大きく関係する。この相反する要求を満たすために、電光表示では単純に文字を詰めて表示するのが慣例になっている。
【０００４】
ＬＥＤで文字を表示するには、マトリックス状にＬＥＤが配置された表示用ＬＥＤモジュールを使用する。表示用ＬＥＤモジュールは多くのＬＥＤを使用するので、単位面積当たりの価格は高い。そこで投資価格に対する宣伝効果を上げるためにも、文字間隔を空けるという発想は生まれなかった。
【先行技術文献】
【特許文献】
【０００５】
【特許文献１】特開２００１−０６００８４号公報
【発明の概要】
【発明が解決しようとする課題】
【０００６】
このように現状の電光表示は送り手の都合により、文字間隔をあえて設けずに表示している。しかし受け手側の見やすさを重視するなら、適切な文字間隔を空けた方が視認性が高い。
【０００７】
現状でも、全角や半角のスペースを文字間に挿入すれば文字間を空けることはできるが、最小の半角スペースを用いても、見易い以上に文字間が開きすぎて、上述したような宣伝効果や投資効果に支障が出る。
【０００８】
本考案は上記従来の問題点を解決するためになされたものであり、見易くなる文字間隔を文字間に挿入して表示する電光表示器または電光表示装置を提供する。
【０００９】
また本考案は、視覚的な健常者のみならず、特に弱視者に対して見易い電光表示装置を実現することを目的とする。
【課題を解決するための手段】
【００１０】
本考案は、上記課題を解決するために成されたものであり、請求項１ に係る電光表示装置は、ＬＥＤを使って文字メッセージを表示できるＬＥＤ表示装置と、文字データを編集して電光表示装置に送信する機能を持つパソコンなどの文字データ編集送信機からなり、文字データ編集送信機で見易さと宣伝効果を考慮した表示文字間の間隔を一つ設定し、ＬＥＤ表示装置では、送信された文字コードデータと文字間隔データと文字コードに対応する文字フォントを内部に蓄積する機能を持ち、表示する際に全ての文字間を等間隔に空けて表示する。
【００１１】
また、請求項２ に係る電光表示装置は、ＬＥＤを使って文字メッセージを表示できるＬＥＤ表示装置と、文字データを編集して電光表示装置に送信する機能を持つパソコンなどの文字データ編集送信機からなり、文字データ編集送信機で表示文字毎に見易さと宣伝効果を考慮した表示文字間の間隔を示す「表示文字数−１」個のデータを設定し、ＬＥＤ表示装置では送信された文字コードデータと文字間隔データと文字コードに対応する文字フォントを内部に蓄積する機能を持ち、表示する際に文字間毎に異なる文字間隔を空けて文字を表示する。
【００１２】
また、請求項３ に係る電光表示装置は、ＬＥＤを使って文字メッセージを表示できるＬＥＤ表示装置と、文字データを編集して電光表示装置に送信する機能を持つパソコンなどの文字データ編集送信機からなり、文字データ編集送信機で表示文字間の間隔を示すデータを漢字、かな、数字、アルファベット等の文字種毎に文字の複雑さに合わせた適切な表示文字間の間隔を示すｍ個のデータを設定し、ＬＥＤ表示装置では送信された文字コードデータと文字間隔データと文字コードに対応する文字フォントを内部に蓄積する機能を持ち、表示する際に文字種毎に異なる文字間隔を空けて文字を表示する。
【００１３】
また、請求項４ に係る電光表示装置は、ＬＥＤを使って文字メッセージを表示できるＬＥＤ表示装置と、文字データを編集して電光表示装置に送信する機能を持つパソコンなどの文字データ編集送信機からなり、文字データ編集送信機で表示文字間の間隔を示すデータを連続した１文字以上の文字グループ毎に設定し、ＬＥＤ表示装置では送信された文字コードデータと文字間隔データと文字コードに対応する文字フォントを内部に蓄積する機能を持ち、表示する際に文字グループ毎に異なる文字間隔を空けて文字を表示する。
【発明の効果】
【００１４】
請求項１の発明により、パソコンなどで文字間隔を自由に設定でき、全ての文字が等間隔で表示されるので、見易さと宣伝効果を考慮した表示ができる。
【００１５】
また、請求項２の発明により、字画の多少や複雑さによる文字の認識性の違いと、文字毎の宣伝効果を考慮し、表示文字毎に文字間隔をパソコンなどで自由に設定できるので、見易さと宣伝効果を両立した表示をすることができる。
【００１６】
また、請求項３の発明により、漢字、かな、数字、アルファベット等の文字種毎に、パソコンなどで文字間隔を自由に設定できるので、字画の多少や複雑さによる文字の認識性の違いを考慮し、見易さと宣伝効果を両立した表示をすることができる。
【００１７】
また、請求項４の発明により、連続した１文字以上の文字グループ毎に、パソコンなどで文字間隔を自由に設定できるので、単語毎に文字の認識性の違いと宣伝上の重要度を考慮し、見易さと宣伝効果を両立した表示をすることができる。
【図面の簡単な説明】
【００１８】
【図１】電光表示装置１の接続状態を示す正面図である。
【図２】電光表示装置１のブロック図である。
【図３】漢字「電」と「光」を表示するときのフォント例である。
【図４】漢字「電光」を表示するときの従来の表示イメージである。
【図５】ＬＥＤ電光表示装置１０で「電光表示装置」を従来の方法で表示した表示例である。
【図６】ＬＥＤ電光表示装置１０で従来の方法で文字間隔を挿入したときの表示例である。
【図７】ＬＥＤ電光表示器１０で本発明により文字間隔を挿入したときの表示例である。
【図８】請求項１でのＣＰＵマイコンボード２のメモリのデータ配置例である。
【図９】請求項１でのＣＰＵマイコンボード２の制御のフローチャートである。
【図１０】請求項２でのＣＰＵマイコンボード２のメモリのデータ配置例１である。
【図１１】請求項２でのＣＰＵマイコンボード２のメモリのデータ配置例２である。
【図１２】請求項２でのＣＰＵマイコンボード２の制御のフローチャートである。
【図１３】請求項３でのＣＰＵマイコンボード２のメモリのデータ配置例である。
【図１４】請求項３でのＣＰＵマイコンボード２の制御のフローチャートである。
【図１５】請求項４でのＣＰＵマイコンボード２のメモリのデータ配置例である。
【図１６】請求項４でのＣＰＵマイコンボード２の制御のフローチャートである。
【発明を実施するための形態】
【００１９】
以下、本考案の一実施の形態である電光表示装置１について、図面を参照して説明する。図１は、電光表示装置１の接続状態を示す正面図であり、図２は、電光表示装置１のブロック図であり、図３は、漢字「電」と「光」を表示するときのフォント例であり、図４は、文字「電光」を従来の方法で表示するときの表示イメージであり、図５は、ＬＥＤ電光表示器１０の表示部 の正面図で、従来の方法で文字「電光表示装置」を表示した例であり、図６は、ＬＥＤ電光表示器１０の表示部 の正面図で、従来の方法で文字間隔を空けて文字「電光表示装置」を表示した例であり、図７は、ＬＥＤ電光表示器１０の表示部 の正面図で、本発明を適用してで文字間隔を空けて文字「電光表示装置」を表示した例である。
【００２０】
まず図１ を参照して、電光表示装置１の機械的構成を説明する。図１ に示すように、電光表示装置１ は、横書き表示をする際には横長の箱形状に形成され、正面にＬＥＤのドットマトリックスで構成された表示用ＬＥＤ が複数設けられたＬＥＤ 電光表示器１０ と、当該ＬＥＤ電光表示器１０にケーブル５で接続された文字データ編集送信機２０とから構成されている。尚、ＬＥＤ電光表示器１０の詳細は後述する。
【００２１】
次に図２ を参照して、電光表示装置１ の電気的構造について説明する。電光表示装置１のＬＥＤ電光表示器１０の内部には、ＣＰＵマイコンボード２ が内蔵され、また、ＣＰＵマイコンボード２には、表示用ＬＥＤモジュール１１，１２ ，１３ ，１４ ，１５，１６，１７，１８ が接続されている。ＣＰＵマイコンボード２には、ＣＰＵ２ａと、データを一時的に記憶するＲＡＭ２ｂと、制御プログラムと文字フォント等を記憶したＲＯＭ２ｃとが内蔵されている。また、文字データ編集送信機２０は、ＣＰＵ マイコンボード２に電気的に接続されており、文字データ編集送信機２０で編集された文字コードデータと文字間隔データをＲＡＭ２ｂに送信する。尚、文字データ編集送信機２０は、ＬＥＤ電光表示器１０から着脱可能である。
【００２２】
図２ の他の実現方法として、文字データ編集送信機２０で編集した文字コードデータと文字間隔データをコンパクトフラッシュ（登録商標）等の可搬型メモリに格納し、ＬＥＤ電光表示器１０でそれを読み出せば、電気的に接続することなく同様の機能となる。
【００２３】
次に図３を参照して、ＣＰＵマイコンボード２のＲＯＭ２ｃなどに記憶される文字フォントについて説明する。表示用ＬＥＤモジュール１１，１２ ，１３ ，１４ ，１５，１６，１７，１８の各々には、マトリックス上にＬＥＤが配置されている。ここでは例として、各表示用ＬＥＤモジュールに縦１６×横１６のマトリックスでＬＥＤが配置されているものとする。文字フォントは、表示用ＬＥＤモジュール１個に、かな漢字１文字を表現するように、表示用ＬＥＤモジュールと同じ縦１６×横１６のマトリックスで構成されている。図３は、縦１６×横１６のマトリックスで漢字「電」と「光」を表示するフォント例である。右端の１列は、横に複数の表示用ＬＥＤモジュールを並べたときに、隣り合う文字同士がくっついて見えにくくなるのを防ぐために、空白列になっている。また、最下段の行は、縦に複数の表示用ＬＥＤモジュールを並べたときに、上下隣り合う文字同士がくっついて見えにくくなるのを防ぐために、空白行になっている。
【００２４】
次に図４を参照して、従来の方法で文字「電光」を表示した場合の表示イメージについて説明する。モジュール同士は隙間なく配置されているので、従来の方法では隣り合う文字間の間隔は、「電光」の場合は図３の右端の列のような、フォントの中の空白部だけになる。
【００２５】
次に図５を参照して、従来の方法で「電光表示装置」という文字をＬＥＤ電光表示器１０に表示した場合の表示例を示す。
【００２６】
次に図６を参照して、従来の方法で「電光表示装置」という文字に文字間隔を挿入してＬＥＤ電光表示器１０に表示した場合の表示例を示す。文字間に半角スペース（縦８列分）が挿入してあるために表示幅が１．５倍近くになり、見易い以上に文字間が広がり、更にＬＥＤ電光表示器１０の表示領域を超えてしまう。
【００２７】
次に図７を参照して、本発明により文字間隔を挿入したときの表示例を説明する。図７では、文字間に縦３列分の空白を挿入してあるために、適度な文字間隔があき、見易くなっている。なお且つ表示幅も１．２倍程度に抑えられる。
【００２８】
次に、図８を参照して、請求項１でのＣＰＵマイコンボード２のメモリのデータ配置例を説明する。１個の文字間隔データと、ｎ個の表示文字データからなる。
【００２９】
次に、図９に示すフローチャートを参照して、請求項１でのＬＥＤ電光表示器１０のＣＰＵマイコンボード２の動作を説明する。電光表示装置１のＬＥＤ電光表示器１０に内蔵されたＣＰＵマイコンボード２ のＣＰＵ２ａが実行する制御プログラムのフローチャートであり、ＲＯＭ２ｃ に記憶されている。最初に文字データを読み込み（Ｓ１）、次に文字データに対応したフォントデータを読み込んでバッファに書き込み（Ｓ２）、次に文字間隔データを読み込でバッファに書き込み（Ｓ３）、文字データ読み込みが完了したら（Ｓ４）、バッファからＬＥＤに表示を行う（Ｓ５）。
【００３０】
次に、図１０を参照して、請求項２でのＣＰＵマイコンボード２のメモリのデータ配置例１を説明する。ｎ個の文字データと、隣り合う文字データの間隔を示すｎ−１個のデータとからなり、表示する並びに交互に配置する。
【００３１】
次に、図１１を参照して、請求項２でのＣＰＵマイコンボード２のメモリのデータ配置例２を説明する。ｎ個の文字データと、隣り合う文字データの間隔を示すｎ−１個のデータとからなり、それぞれ文字データと文字間隔データにわけ、表示する並びに配置する。
【００３２】
次に、図１２に示すフローチャートを参照して、請求項２でのＬＥＤ電光表示器１０のＣＰＵマイコンボード２の動作を説明する。電光表示装置１のＬＥＤ電光表示器１０に内蔵されたＣＰＵマイコンボード２ のＣＰＵ２ａが実行する制御プログラムのフローチャートであり、ＲＯＭ２ｃ に記憶されている。最初に文字データを読み込み（Ｓ１）、次に文字データに対応したフォントデータを読み込んでバッファに書き込み（Ｓ２）、次に文字間隔データがあれば（Ｓ３）これを読み込んでバッファに書き込む（Ｓ４）。文字間隔データがなければ（Ｓ３）、次にバッファからＬＥＤに表示を行う（Ｓ５）。
【００３３】
次に、図１３を参照して、請求項３でのＣＰＵマイコンボード２のメモリのデータ配置例を説明する。ｎ個の文字データと、文字種毎に文字データの間隔を示すｍ個の文字間隔データとからなり、それぞれ文字データと文字間隔データにわけ、文字データは表示する並びに配置する。
【００３４】
次に、図１４に示すフローチャートを参照して、請求項３でのＬＥＤ電光表示器１０のＣＰＵマイコンボード２の動作を説明する。電光表示装置１のＬＥＤ電光表示器１０に内蔵されたＣＰＵマイコンボード２ のＣＰＵ２ａが実行する制御プログラムのフローチャートであり、ＲＯＭ２ｃ に記憶されている。最初に文字データを読み込み（Ｓ１）、次に文字データに対応したフォントデータを読み込んでバッファに書き込み（Ｓ２）、次に文字データ読み込みが完了していないなら（Ｓ３）、文字種を調べて（Ｓ５、Ｓ７）、相当する文字間隔を読み出してバッファに書き込み（Ｓ６、Ｓ８）、どれにも当てはまらない場合は文字種ｍの文字間隔を読み出してバッファに書き込む（Ｓ９）。文字データ読み込みが完了したなら（Ｓ３）、次にバッファからＬＥＤに表示を行う（Ｓ４）。
【００３５】
次に、図１５を参照して、請求項４でのＣＰＵマイコンボード２のメモリのデータ配置例を説明する。文字グループ毎に文字データの間隔を示すｍ個の文字間隔データと、各グループ毎にのｎx個の文字データとからなり、それぞれグループ毎に表示する並びに配置する。
【００３６】
次に、図１６に示すフローチャートを参照して、請求項４でのＬＥＤ電光表示器１０のＣＰＵマイコンボード２の動作を説明する。電光表示装置１のＬＥＤ電光表示器１０に内蔵されたＣＰＵマイコンボード２のＣＰＵ２ａが実行する制御プログラムのフローチャートであり、ＲＯＭ２ｃ に記憶されている。最初に１番目の文字グループの文字間隔データを読み込み（Ｓ１）、次に１番目の文字グループの文字データを読み込み（Ｓ２）、次に対応したフォントデータを読み込んでバッファに書き込み（Ｓ３）、次に文字間隔データをバッファに書き込み（Ｓ４）、次に文字データならばこれを読み込み（S５、Ｓ２）、文字データでなく文字間隔データなら次の文字グループとして文字間隔データを読み込み（S６、Ｓ８）、文字間隔データでなければバッファからＬＥＤに表示を行う（Ｓ６、S７）。
【産業上の利用可能性】
【００３７】
宣伝や広報に訴求力の高いLED電光表示装置として利用可能。
【符号の説明】
【００３８】
１   電光表示装置
２   ＣＰＵ マイコンボード
５   ケーブル
１０   ＬＥＤ 表示ボード
１１，１２，１３，１４，１５，１６，１７，１８  表示用ＬＥＤモジュール
２０   文字データ編集送信機
【図１】
2010097166.tif 000003
【図２】
2010097166.tif 000004
【図３】
2010097166.tif 000005
【図４】
2010097166.tif 000006
【図５】
2010097166.tif 000007
【図６】
2010097166.tif 000008
【図７】
2010097166.tif 000009
【図８】
2010097166.tif 000010
【図９】
2010097166.tif 000011
【図１０】
2010097166.tif 000012
【図１１】
2010097166.tif 000013
【図１２】
2010097166.tif 000014
【図１３】
2010097166.tif 000015
【図１４】
2010097166.tif 000016
【図１５】
2010097166.tif 000017
【図１６】
2010097166.tif 000018